(57)【要約】【課題】ワイピング作業中にインクジェット記録装置に外部から供給される電力が遮断したとしても、電力の復帰後に適切な復帰動作を行うことが可能なインクジェット記録装置を提供することである。【解決手段】インクジェット記録装置１は、ワイピング作業制御部２０１と、開始フラグ制御部２０２と、第２判断部２０４と、復帰内容決定部２０５と、を備える。開始フラグ制御部２０２は、ワイピング作業制御部２０１により、ワイピングブレード３５によりパージインク１０４を拭き取るワイピング作業を行う際に、ワイピング作業の開始フラグおよびパージインクが吐出された時間を記憶部４０に記憶するように制御する。復帰内容決定部２０５は、第２判断部２０４により記憶部４０に開始フラグが記憶されていると判断されれば、パージインク１０４が吐出された時間からの経過時間を計測し、経過時間に応じてワイピング作業の復帰内容を決定する。【選択図】図５
2018114727.tif 000002
【特許請求の範囲】
【請求項１】
インクを吐出する吐出ノズルを含むヘッド部を備え、外部から電力が供給されて駆動するインクジェット記録装置であって、
情報を記憶する記憶部と、
前記ヘッド部の前記インクを吐出するインク吐出面に当接および離間可能であって、前記インク吐出面に当接時に前記インク吐出面の一方の端部から他方の端部へ移動しながら、所定のタイミングで前記吐出ノズルから吐出されるパージインクを拭き取って、前記インク吐出面の清掃を行うワイピングブレードと、
前記ワイピングブレードにより前記パージインクを拭き取るワイピング作業を行うように制御するワイピング作業制御部と、
前記ワイピング作業制御部により、前記ワイピングブレードにより前記パージインクを拭き取る前記ワイピング作業を行う際に、前記ワイピング作業の開始フラグおよび前記パージインクが吐出された時間を前記記憶部に記憶するように制御する開始フラグ制御部と、
外部からの前記インクジェット記録装置への電力の供給が遮断されたか否かを判断する第１判断部と、
前記第１判断部により判断されたのち、外部からの前記電力の供給が復帰したかを検知する外部電力検知部と、
前記外部電力検知部により外部からの前記電力の供給が復帰したと検知すれば、前記開始フラグが前記記憶部に記憶されているかを判断する第２判断部と、
前記第２判断部により前記記憶部に前記開始フラグが記憶されていると判断されれば、前記パージインクが吐出された時間からの経過時間を計測し、前記経過時間に応じて前記ワイピング作業の復帰内容を決定する復帰内容決定部と、を備えるインクジェット記録装置。
【請求項２】
前記復帰内容決定部は、前記パージインクが吐出された時間からの経過時間が所定時間よりも長ければ、前記ワイピング作業を複数回行うように決定する、請求項１に記載のインクジェット記録装置。
【請求項３】
前記復帰内容決定部は、前記パージインクが吐出された時間からの経過時間が所定時間よりも長ければ、前記パージインクの吐出量を多くするように決定する、請求項１または請求項２に記載のインクジェット記録装置。
【請求項４】
前記復帰内容決定部は、外部からの前記電力の供給を検知した際の前記インクジェット記録装置のおかれている環境に応じて復帰内容を決定する、請求項１〜請求項３のいずれか１項に記載のインクジェット記録装置。
【請求項５】
前記復帰内容決定部は、外部からの前記電力の供給を検知した際の前記インクジェット記録装置のおかれている環境温度に応じて復帰内容を決定する、請求項４に記載のインクジェット記録装置。
【請求項６】
前記復帰内容決定部は、外部からの前記電力の供給を検知した際の前記インクジェット記録装置のおかれている湿度に応じて復帰内容を決定する、請求項４に記載のインクジェット記録装置。
【請求項７】
前記復帰内容決定部は、前記パージインクの色に応じて復帰内容を決定する、請求項１〜請求項６のいずれか１項に記載のインクジェット記録装置。
【発明の詳細な説明】
【技術分野】
【０００１】
この発明は、インクジェット記録装置に関するものである。
【背景技術】
【０００２】
ファクシミリ、複写機、プリンター等の記録装置は、紙等の記録媒体に画像を記録するように構成される。この記録装置として、インクジェット式の記録装置が知られている。また、インクジェット式の記録装置は、ヘッド部が記録媒体上を走査しながら記録を行うシリアル型と、装置本体に固定されたヘッド部により記録を行うラインヘッド型に分類される。ラインヘッド型のインクジェット記録装置は、記録媒体の搬送方向に対し直交する印字領域幅全域に亘って吐出ノズルが所定の間隔で並んでいるラインヘッド型のインクジェットヘッド（記録ヘッド）を色毎に備えている。そして、記録媒体の搬送に合わせて印字位置に対応した吐出ノズルからインクを吐出することにより、記録媒体全体の印字を可能としたものである。
【０００３】
ここで、ヘッド部のインク吐出面に開口が設けられた吐出ノズル内のインクの乾燥や、吐出ノズル内のインクの増粘によるノズルの目詰まりを防止するために、吐出ノズルからインクを強制吐出した後、インク吐出面に付着したパージインクをブレードで拭き取る技術が、特開２０１５−２０８８９９号公報（特許文献１）に開示されている。
【０００４】
特許文献１に開示の記録ヘッドの回復機構は、記録媒体上にインクを吐出する吐出ノズルが開口するノズル領域が設けられた記録ヘッドの回復機構である。記録ヘッドの回復機構は、吐出ノズルから強制的に吐出されたパージインクを拭き取るワイパーと、ワイパーを、ノズル領域を含むインク吐出面に沿って往復移動させる駆動機構と、を備える。記録ヘッドの回復機構は、残留インク付着工程と、インク吐出工程と、拭き取り工程と、を含む。残留インク付着工程は、ノズル領域の外側の第１位置にワイパーを圧接させた後、ワイパーをインク吐出面に沿って移動させることにより、ワイパーの先端の残留インクを第１位置に付着させる。インク吐出工程は、吐出ノズルからインクを強制的に吐出してノズル領域にパージインクを付着させる。拭き取り工程は、残留インク付着工程の実行後、ノズル領域に対して第１位置とは反対側の第２位置から、ワイパーをインク吐出面に沿って第１位置側に向かう方向に移動させることにより、パージインクと残留インクとを拭き取る。
【先行技術文献】
【特許文献】
【０００５】
【特許文献１】特開２０１５−２０８８９９号公報
【発明の概要】
【発明が解決しようとする課題】
【０００６】
ヘッド部のインク吐出面に開口が設けられた吐出ノズル内のインクの乾燥や、吐出ノズル内のインクの増粘によるノズルの目詰まりを防止するために、吐出ノズルからインク（以下、パージインクという）が強制的に吐出される。
【０００７】
吐出ノズルからパージインクが強制的に吐出された後、インク吐出面に付着したパージインクはワイピングブレードによって拭き取られる。通常、ワイピングブレードは、インク吐出面を一方向に移動しながら、パージインクを拭き取る。この際に、例えば停電によって外部から供給される電力が遮断され、長時間停止してしまうと、パージインクが硬化しインク吐出面に固着してしまうおそれがある。そうすると、外部から供給される電力が復帰した際にワイピングブレードによって、通常通りパージインクを拭き取ろうとしても、パージインクがインク吐出面に固着しているために、インク吐出面にパージインクの拭き残しが生ずる。
【０００８】
この発明の目的は、ワイピング作業中にインクジェット記録装置に外部から供給される電力が遮断したとしても、電力の復帰後に適切な復帰動作を行うことが可能なインクジェット記録装置を提供することである。
【課題を解決するための手段】
【０００９】
この発明の一の局面においてインクジェット記録装置は、インクを吐出する吐出ノズルを含むヘッド部を備え、外部から電力が供給されて駆動する。インクジェット記録装置は、記憶部と、ワイピングブレードと、ワイピング作業制御部と、開始フラグ制御部と、第１判断部と、外部電力検知部と、第２判断部と、復帰内容決定部と、を備える。記憶部は、情報を記憶する。ワイピングブレードは、ヘッド部のインクを吐出するインク吐出面に当接および離間可能であって、インク吐出面に当接時にインク吐出面の一方の端部から他方の端部へ移動しながら、所定のタイミングで吐出ノズルから吐出されるパージインクを拭き取って、インク吐出面の清掃を行う。ワイピング作業制御部は、ワイピングブレードによりパージインクを拭き取るワイピング作業を行うように制御する。開始フラグ制御部は、ワイピング作業制御部により、ワイピングブレードによりパージインクを拭き取るワイピング作業を行う際に、ワイピング作業の開始フラグおよびパージインクが吐出された時間を記憶部に記憶するように制御する。第１判断部は、外部からのインクジェット記録装置への電力の供給が遮断されたか否かを判断する。外部電力検知部は、第１判断部により判断されたのち、外部からの電力の供給が復帰したかを検知する。第２判断部は、外部電力検知部により外部からの電力の供給が復帰したと検知すれば、開始フラグが記憶部に記憶されているかを判断する。復帰内容決定部は、第２判断部により記憶部に開始フラグが記憶されていると判断されれば、パージインクが吐出された時間からの経過時間を計測し、経過時間に応じてワイピング作業の復帰内容を決定する。
【発明の効果】
【００１０】
このようなインクジェット記録装置によれば、ワイピング作業を行う際に、ワイピング作業の開始フラグとパージインクが吐出された時間が記憶される。このようにすることで、外部からの電力の供給が遮断し、その後電力が復帰した際に、ワイピング作業の開始フラグが記憶されているために、インク吐出面にパージインクが残っていることが把握される。そして、パージインクが吐出された時間から経過時間を計測し、経過時間に応じてワイピング作業の復帰内容を決定することができる。従って、このようなインクジェット記録装置によれば、ワイピング作業中にインクジェット記録装置に外部から供給される電力が遮断したとしても、電力の復帰後に適切な復帰動作を行うことができる。
【図面の簡単な説明】
【００１１】
【図１】インクジェット記録装置の外観を示す概略図である。
【図２】ヘッド部の概略的な構成を示す平面図である。
【図３】記録ヘッドの概略的な構成を示す平面図である。
【図４】制御部の構成を示すブロック図である。
【図５】ワイピング作業中にインクジェット記録装置に外部から供給される電力が遮断した場合の処理の流れを示すフローチャートである。
【図６】ワイピングブレードをインク吐出面に移動させた状態を示す側面図である。
【図７】ワイピングブレードがパージインクを拭き取る状態を示す側面図である。
【図８】ワイピングブレードがパージインクを拭き取る状態を示す側面図である。
【図９】ワイピングブレードをインク吐出面から離間させた状態を示す側面図である。
【図１０】インクジェット記録装置に供給される電力が復帰した後にワイピング作業の復帰内容が判断される場合の処理の流れを示すフローチャートである。
【図１１】外部からインクジェット記録装置へ供給される交流電源の電圧の波形とゼロクロス信号を示す概念図である。
【発明を実施するための形態】
【００１２】
以下、この発明の実施の形態を説明する。図１は、この発明の一実施形態に係るインクジェット記録装置１の外観を示す概略図である。
【００１３】
図１を参照して、インクジェット記録装置１は、給紙トレイ２と、第１搬送ユニット５と、ヘッド部９と、第２搬送ユニット１２と、ブレード部１９と、制御部２０と、バッテリー部３０と、記憶部４０とを備える。インクジェット記録装置１は、外部から供給される電力によって駆動する。
【００１４】
給紙トレイ２は、用紙Ｓ（記録媒体）を収容する。給紙トレイ２の一端部には収容された用紙Ｓを、最上位の用紙Ｓから順に一枚ずつ第１搬送ユニット５へと搬送給紙するための給紙ローラー３と、給紙ローラー３に圧接され従動回転する従動ローラー４とが設けられている。
【００１５】
第１搬送ユニット５は、矢印Ｘの方向に対して下流側に配置された第１駆動ローラー６と、上流側に配置された第１従動ローラー７と、第１駆動ローラー６及び第１従動ローラー７に掛け渡された第１搬送ベルト８とを備える。第１駆動ローラー６が時計回り方向に回転駆動されることにより、第１搬送ベルト８に保持された用紙Ｓが矢印Ｘの方向に搬送される。
【００１６】
ヘッド部９は、ヘッドハウジング１０と、ラインヘッド１１Ｃ、１１Ｍ、１１Ｙ、１１Ｋとを備える。ラインヘッド１１Ｃ〜１１Ｋは、第１搬送ベルト８の搬送面に対して所定の間隔で配置される。図２は、ヘッド部９の概略的な構成を示す平面図である。図２は、図１のヘッド部９を矢印Ｚ方向に見た図である。図１、図２を参照して、ラインヘッド１１Ｃ〜１１Ｋは、それぞれ３つの記録ヘッド１７ａ、１７ｂ、１７ｃを備える。記録ヘッド１７ａ〜１７ｃは、矢印Ｘの方向と直行する矢印Ｙ方向に沿って配置される。記録ヘッド１７ａ〜１７ｃは、複数の吐出ノズル１８を備える。吐出ノズル１８は、インクを吐出することができるように構成される。第１搬送ベルト８上に搬送される用紙Ｓに対して、印字位置に対応した吐出ノズル１８からインクを吐出するように構成される。各ラインヘッド１１Ｃ〜１１Ｋを構成する記録ヘッド１７ａ〜１７ｃは、それぞれインクタンク（図示せず）を備える。インクタンクには、インクが貯留される。ラインヘッド１１Ｃ〜１１Ｋの色事に、４色（シアン、マゼンタ、イエロー及びブラック）のインクが貯留される。
【００１７】
図３は、記録ヘッド１７ａ、１７ｂ、１７ｃの概略的な構成を示す平面図である。記録ヘッド１７ａ〜１７ｃは、同一の形状及び構造を有するため、図３ではその１つを示している。図３は、記録ヘッド１７ａ〜１７ｃを図２のＺ方向に見た図である。図３を参照して、記録ヘッド１７ａ〜１７ｃは、インク吐出面Ｆを有する。インク吐出面Ｆは、矩形状の形状を有する。記録ヘッド１７ａ〜１７ｃには、複数の吐出ノズル１８が配列された複数のノズル領域Ｒが形成されている。複数のノズル領域Ｒは、インク吐出面Ｆ内に形成される。複数のノズル領域Ｒは、インク吐出面Ｆの長辺方向である矢印Ｙ方向に所定の間隔で配列される。ノズル領域Ｒは、台形上の形状を有する。吐出ノズル１８には、複数の開口部１８ａが形成される。吐出ノズル１８は、開口部１８ａからインクを吐出する。
【００１８】
図１を参照して、第２搬送ユニット１２は、第２駆動ローラー１３と、第２従動ローラー１４と、第２駆動ローラー１３及び第２従動ローラー１４に掛け渡された第２搬送ベルト１５と、排出ローラー１６とを備える。第２駆動ローラー１３が時計回り方向に回転駆動されることにより、第２搬送ベルト１５に保持された用紙Ｓが矢印Ｘ方向に搬送される。ヘッド部９にて、インク画像が記録された用紙Ｓは第２搬送ユニット１２へと送られ、第２搬送ユニット１２を通過する間に用紙Ｓ表面に吐出されたインクが乾燥される。そして、排出ローラー１６により、画像が記録された用紙Ｓを装置本体外へと排出する。装置本体外へと排出された用紙Ｓは、排出トレイ（図示せず）に積載される。
【００１９】
ブレード部１９は、複数の弾性を有するワイピングブレード３５を備える。ワイピングブレード３５は、平板状の形状を有する。図１を参照して、ワイピングブレード３５は、矢印Ｘ方向に所定の間隔で配置される。複数のワイピングブレード３５は、ラインヘッド１１Ｃ〜１１Ｋに対応する位置に配置される。ブレード部１９は、第２搬送ユニット１２の下方に配置される。ブレード部１９は、吐出ノズル１８からパージインクが強制的に吐出された際に、ヘッド部９の下方に移動する。図３を参照して、ワイピングブレード３５は、記録ヘッド１７ａ〜１７ｃのインク吐出面Ｆに当接および離間可能な配置となっている。ワイピングブレード３５とインク吐出面Ｆとは、通常離間している。所定のタイミングで吐出ノズル１８からパージインクが強制的に吐出された際に、ワイピングブレード３５はインク吐出面Ｆに当接するように配置される。ここで、所定のタイミングとは、例えば、１時間毎のタイミングである。ワイピングブレード３５は、インク吐出面Ｆに押し当てられて、当接するように配置される。この際、ワイピングブレード３５は、撓んだ状態となる。ワイピングブレード３５は、インク吐出面Ｆの長手方向の一方の端部に当接するように配置される。吐出ノズル１８からパージインクが強制的に吐出されると、ワイピングブレード３５は、インク吐出面Ｆの長手方向の一方の端部から他方の端部に移動し、パージインクを拭き取って、インク吐出面の清掃を行う。図３を参照して、ワイピングブレード３５は、矢印Ｙ方向に移動して、パージインクを拭き取る。なお、ワイピングブレード３５は、矢印Ｙ方向とは逆の方向に移動して、パージインクを拭き取るようにしてもよい。そして、ワイピングブレード３５は、矢印Ｙ方向、および矢印Ｙ方向とは逆の方向に繰り返し移動し、パージインクを拭き取るようにしてもよい。また、所定の回数を繰り返し行われるようにしてもよい。
【００２０】
バッテリー部３０は、外部からインクジェット記録装置１へ供給される電力を一時的に貯めておく。記憶部４０は、不揮発性のメモリから構成される。
【００２１】
制御部２０は、インクジェット記録装置１全体の制御を行う。制御部２０は、ＣＰＵ等から構成されており、一時的にデータを記憶する記憶部としての主記憶メモリ（図示せず）を含む。
【００２２】
次にインクジェット記録装置１に備えられる制御部２０の構成について説明する。図４は、制御部２０の構成を示すブロック図である。図４を参照して、制御部２０は、ワイピング作業制御部２０１と、開始フラグ制御部２０２と、第１判断部２０３と、外部電力検知部２０４と、第２判断部２０５と、復帰内容決定部２０６とを備える。ワイピング作業制御部２０１は、ワイピングブレード３５によりパージインクを拭き取るワイピング作業を行うように制御する。開始フラグ制御部２０２は、ワイピング作業制御部２０１により、ワイピングブレード３５によりパージインクを拭き取るワイピング作業を行う際に、ワイピング作業の開始フラグおよびパージインクが吐出された時間を記憶部４０に記憶するように制御する。第１判断部２０３は、外部からのインクジェット記録装置１への電力の供給が遮断されたか否かを判断する。外部電力検知部２０４は、第１判断部２０３により判断されたのち、外部からの電力の供給が復帰したかを検知する。第２判断部２０５は、外部電力検知部２０４により外部からの電力の供給が復帰したと検知すれば、開始フラグが記憶部４０に記憶されているかを判断する。復帰内容決定部２０６は、第２判断部２０５により記憶部４０に開始フラグが記憶されていると判断されれば、パージインクが吐出された時間からの経過時間を計測し、経過時間に応じてワイピング作業の復帰内容を決定する。これらの構成については、後述する。
【００２３】
次に、ワイピング作業中にインクジェット記録装置１に外部から供給される電力が遮断し、その後インクジェット記録装置１に供給される電力が復帰した際にワイピング作業の復帰内容が決定される場合について説明する。図５は、ワイピング作業中にインクジェット記録装置１に外部から供給される電力が遮断した場合の処理の流れを示すフローチャートである。
【００２４】
図５を参照して、所定のタイミングで吐出ノズル１８からパージインクが強制的に吐出される。そして、ワイピングブレード３５をインク吐出面Ｆに移動させて、インク吐出面Ｆに当接するように配置される。ワイピング作業制御部２０１によって、ワイピングブレード３５をインク吐出面Ｆに当接させ、インク吐出面Ｆの一方の端部から他方の端部へ移動させながら、パージインクが拭き取られるワイピング作業が行われる（図５において、ステップＳ１１、以下、「ステップ」を省略する）。
【００２５】
図６は、ワイピングブレード３５をインク吐出面Ｆに移動させた状態を示す側面図である。図６は、図３の矢印Ｘ方向に記録ヘッド１７ａ〜１７ｃを見た側面図である。図６を参照して、インク吐出面Ｆのノズル領域Ｒからパージインク１０４が吐出されている。ワイピングブレード３５は、記録ヘッド１７ａ〜１７ｃの下方から矢印Ｚ方向に移動する。ワイピングブレード３５の先端部３５ａが、インク吐出面Ｆに当接するように矢印Ｚ方向に移動する。図７は、ワイピングブレード３５がパージインク１０４を拭き取る状態を示す側面図である。図７は、図３の矢印Ｘ方向に記録ヘッド１７ａ〜１７ｃを見た側面図である。図７を参照して、ワイピングブレード３５の先端部３５ａは、インク吐出面Ｆに押し当てられて、ワイピングブレード３５は、撓んだ状態となる。ワイピングブレード３５は、撓んだ状態を維持しながら、インク吐出面Ｆに沿って、パージインク１０４を拭き取る。ワイピングブレード３５は、矢印Ｙ方向に移動しながら、パージインク１０４を拭き取る。図８は、ワイピングブレード３５がパージインク１０４を拭き取る状態を示す側面図である。図８は、図３の矢印Ｘ方向に記録ヘッド１７ａ〜１７ｃを見た側面図である。また、図９は、ワイピング作業が完了し、ワイピングブレード３５をインク吐出面Ｆから離間させた状態を示す側面図である。図９は、図３の矢印Ｘ方向に記録ヘッド１７ａ〜１７ｃを見た側面図である。図９を参照して、ワイピングブレード３５は、ワイピング作業が完了すると、ワイピングブレード３５をインク吐出面Ｆに対して矢印Ｚ方向とは反対の方向である下方に移動し、インク吐出面Ｆから離間される。
【００２６】
次に、ワイピング作業を行う際に、開始フラグ制御部２０２によって、記憶部４０にワイピング作業の開始フラグが記憶される（Ｓ１２）。また、パージインク１０４が吐出ノズル１８から吐出された時間が記憶部４０に記憶される（Ｓ１３）。そして、第１判断部２０３によって、外部からインクジェット記録装置１への電力の供給が遮断されたか否かが判断される（Ｓ１４）。外部からインクジェット記録装置１への電力の供給が遮断されたと判断されれば（Ｓ１４においてＹＥＳ）、記憶部４０に記憶されているワイピング作業の開始フラグは保持され、終了する。
【００２７】
図１０は、インクジェット記録装置１に供給される電力が復帰した後にワイピング作業の復帰内容が判断される場合の処理の流れを示すフローチャートである。まず、外部電力検知部２０４により、インクジェット記録装置１に外部から供給される電力が復帰したことが検知される（Ｔ１１）。次に、記憶部４０にワイピング作業の開始フラグが記憶されているか否かが判断される（Ｔ１２）。記憶部４０にワイピング作業の開始フラグが記憶されていると判断されれば（Ｔ１２においてＹＥＳ）、復帰内容決定部２０５によりパージインク１０４が吐出ノズル１８から吐出された時からの経過時間を計測し、経過時間に応じてワイピング作業の復帰内容が決定される（Ｔ１３）。ここで、復帰内容とはワイピング作業の回数やパージインク１０４の吐出量を意味する。その後、上記の復帰内容により、ワイピング作業が行われる。
【００２８】
このようなインクジェット記録装置１によれば、ワイピング作業を行う際に、ワイピング作業の開始フラグとパージインクが吐出された時間が記憶される。このようにすることで、外部からの電力の供給が遮断し、その後電力が復帰した際に、ワイピング作業の開始フラグが記憶されているために、インク吐出面Ｆにパージインク１０４が残っていることが把握される。そして、パージインク１０４が吐出された時間から経過時間を計測し、経過時間に応じてワイピング作業の復帰内容を決定することができる。従って、このようなインクジェット記録装置１によれば、ワイピング作業中にインクジェット記録装置１に外部から供給される電力が遮断しても、電力の復帰後に適切な復帰動作を行うことができる
【００２９】
なお、Ｓ１４において、外部からインクジェット記録装置１への電力の供給が遮断されていないと判断されれば（Ｓ１４においてＮＯ）、記憶部４０に記憶されているワイピング作業の開始フラグは消去され、終了する。これは、ワイピング作業が正常に終了した状態である。より具体的には、図９に示す状態である。
【００３０】
なお、Ｔ１２において、記憶部４０にワイピング作業の開始フラグが記憶されていないと判断されれば（Ｔ１２においてＮＯ）、そのまま処理を終了する（Ｔ１４）。これは、インクジェット記録装置１に供給される電力が遮断される前に、ワイピング作業が完了しており、復帰処理を行う必要がないためである。
【００３１】
なお、Ｔ１３において、復帰内容決定部２０６により、以下のように復帰内容を決定してもよい。パージインク１０４が吐出された時間からの経過時間が所定時間よりも長ければ、ワイピング作業を複数回行うように復帰内容を決定してもよい。図６、図７、図８を参照して、ワイピングブレード３５は、矢印Ｙ方向、および矢印Ｙ方向とは逆の方向に往復して移動し、パージインク１０４が複数回拭き取られるようにしてもよい。例えば、所定時間を２４時間とし、パージインク１０４が吐出ノズル１８から吐出された時からの経過時間が所定時間よりも長いと、ワイピング作業を２往復するように決定される。また、パージインク１０４が吐出された時間からの経過時間が所定時間よりも長ければ、パージインク１０４の吐出量を多くするように復帰内容を決定してもよい。例えば、所定時間を２４時間とし、パージインク１０４が吐出ノズル１８から吐出された時からの経過時間が所定時間よりも長いと、パージインク１０４の吐出量を通常時の倍量とするように決定される。
【００３２】
また、外部からの電力の供給を検知した際のインクジェット記録装置１のおかれている環境に応じて復帰内容を決定してもよい。ここでの環境とは、インクジェット記録装置１のおかれている環境温度や湿度である。例えば、環境温度が３５度以上の場合や、湿度が２０％ＲＨ未満の場合には、ワイピング作業を２往復するように決定される。また、パージインク１０４の色に応じて復帰内容を決定するようにしてもよい。例えば、パージインクがイエローであれば、パージインク１０４の吐出量をより多くするように決定される。
【００３３】
なお、Ｓ１４において、外部からのインクジェット記録装置１への電力の供給が遮断されたか否かを判断するには、外部からインクジェット記録装置に供給される交流電源の電圧に基づいて導出されるゼロクロス信号の検知結果に基づいて判断するようにしてもよい。図１１は、外部からインクジェット記録装置１へ供給される交流電源の電圧の波形とゼロクロス信号を示す概念図である。図１１の縦軸は、交流電源の電圧と、ゼロクロス信号のオンとオフを示す。また、横軸は、経過時間を示す。図１１を参照して、波形４６ａは、外部からインクジェット記録装置１へ供給される交流電源の電圧の波形である。図１１において、＋は交流電源の電圧が正である状態、−は交流電源の電圧が負である状態、０は交流電源の電圧が０であることを示す。ゼロクロス信号は、交流電源の電圧の正負が入れ替わる時点でオンとオフとが切り替わる信号である。図１１を参照して、ゼロクロス信号４６ｂは、時間Ｔ１でオンからオフに切り替わり、時間Ｔ２でオフからオンに切り替わる。同様に、時間Ｔ３でオンからオフに切り替わり、時間Ｔ４でオフからオンに切り替わる。また、時間Ｔ５でオンからオフに切り替わり、時間Ｔ６でオフからオンに切り替わる。また、時間Ｔ７でオンからオフに切り替わり、時間Ｔ８でオフからオンに切り替わる。また、時間Ｔ９でオンからオフに切り替わり、時間Ｔ１０でオフからオンに切り替わる。ゼロクロス信号は、交流電源が常時外部から供給されている場合には、一定の周期を有する信号である。図１１を参照して、ゼロクロス信号４６ａの１周期は、時間Ｔ１からＴ３までである。周期的な信号を検知することで、外部からのインクジェット記録装置１への電力の供給が遮断されたか否かが判断される。より具体的には、ゼロクロス信号４６ｂの１周期である時間Ｔ１からＴ３、時間Ｔ３からＴ５、時間Ｔ５からＴ７、時間Ｔ７からＴ９の周期的な信号が検知される。ゼロクロス信号４６ｃは、時間Ｔ６以降にインクジェット記録装置１への電力の供給が遮断された場合の信号である。時間Ｔ５からＴ７の信号が検知されないことから、外部からのインクジェット記録装置１への電力の供給が遮断されたと判断される。例えば、ゼロクロス信号が、２周期以上検知されない場合には、外部からのインクジェット記録装置１への電力の供給が遮断されたと判断するようにしてもよい。上記ゼロクロス信号を検出するために、インクジェット記録装置１は、ゼロクロス信号検出部をさらに備えるようにしてもよい。
【００３４】
なお、なお、インクジェット記録装置１は、外部からインクジェット記録装置１へ供給される電力を一時的に貯めておくバッテリー部３０を備えないようにしてもよい。
【００３５】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３６】
この発明に係るインクジェット記録装置は、ワイピング作業中にインクジェット記録装置に外部から供給される電力が遮断しても、電力の復帰後に適切な復帰動作を行うことが要求される場合に、特に有効に利用される。
【符号の説明】
【００３７】
１  インクジェット記録装置、２  給紙トレイ、３  給紙ローラー、４    従動ローラー、５  第１搬送ユニット、６  第１駆動ローラー、７  第１従動ローラー、８  第１搬送ベルト、９  ヘッド部、１０  ヘッドハウジング、１１Ｃ  ラインヘッド、１１Ｍ  ラインヘッド、１１Ｙ  ラインヘッド、１１Ｋ  ラインヘッド、１２  第２搬送ユニット、１３  第２駆動ローラー、１４  第２従動ローラー、１５  第２搬送ベルト、１６       排出ローラー、１７ａ  記録ヘッド、１７ｂ  記録ヘッド、１７ｃ  記録ヘッド、１８  吐出ノズル、１８ａ  開口部、１９  ブレード部、２０  制御部、２０１  ワイピング作業制御部、２０２  開始フラグ制御部、２０３  第１判断部、２０４  外部電力検知部、２０５  第２判断部、２０６  復帰内容決定部、３０  バッテリー部、４０  記憶部、３５  ワイピングブレード、３５ａ  先端部、４６ａ  交流電源、４６ｂ  ゼロクロス信号、４６ｃ  ゼロクロス信号、Ｒ  ノズル領域、Ｆ  インク吐出面。
【図１】
2018114727.tif 000003
【図２】
2018114727.tif 000004
【図３】
2018114727.tif 000005
【図４】
2018114727.tif 000006
【図５】
2018114727.tif 000007
【図６】
2018114727.tif 000008
【図７】
2018114727.tif 000009
【図８】
2018114727.tif 000010
【図９】
2018114727.tif 000011
【図１０】
2018114727.tif 000012
【図１１】
2018114727.tif 000013